(57)【要約】【課題】ＷＥＢブラウジング等のデータ通信系アプリケーションの表示機能に対応可能なＩＰ電話端末の表示方法およびＩＰ電話端末を提供する【解決手段】ＩＰ電話端末（１０）は、クレードル部（４０）にＰＤＡ（２０）の収容を検出すると、クレードル部（４０）のコネクタ部（５００）を介してＰＤＡ（２０）の機器認証および利用者認証を行う。また、ＩＰ電話端末１０のアプリケーションプログラムは、表示データをＬＣＤ表示制御部（１８）に出力し、ＬＣＤ表示制御部（１８）はフラッシュメモリ（１２）の表示データ出力先管理テーブル（８０）を参照して表示データ出力先を決定する。出力先がＰＤＡ（２０）の場合、ＬＣＤ表示制御部（１８）はクレードル部（４０）のコネクタ部（５００）を介して表示データをＰＤＡ（２０）に送信し、ＰＤＡ表示制御部（２２）は、受信した表示データをタッチパネル式ＬＣＤ表示部（３１）に表示する。【選択図】  図１
2004336141.tif 000002
【特許請求の範囲】
【請求項１】
音声をデジタル信号に変換し、ＴＣＰ／ＩＰプロトコルによるパケット伝送にて通信を行うＩＰ電話端末における表示方法において、
表示器を有する携帯端末を前記ＩＰ電話端末に着脱可能に接続し、
前記携帯端末を前記ＩＰ電話端末に接続した状態において、該ＩＰ電話端末の機能動作に係る表示データを該携帯端末に送信し、
該表示データを該携帯端末の表示器に表示する
ことを特徴とするＩＰ電話端末の表示方法。
【請求項２】
前記携帯端末の表示器は、
画面上の操作によりデータを入力可能に構成され、
前記画面上の操作により入力されたデータを該携帯端末から受信する
ことを特徴とする請求項１記載のＩＰ電話端末の表示方法。
【請求項３】
前記携帯端末は、充電可能な電池を電源として動作するものであり、
該携帯端末を前記ＩＰ電話端末に接続した状態において、該ＩＰ電話端末からの電源供給により該携帯端末の電池を充電する充電動作を行なう
ことを特徴とする請求項１記載のＩＰ電話端末の表示方法。
【請求項４】
前記ＩＰ電話端末は、前記携帯端末が接続された状態において、該携帯端末と通信を行うことにより該携帯端末に記録された個人情報を取得し、
該取得した個人情報に基づき該ＩＰ電話端末の使用者認証を行う
ことを特徴とする請求項１記載のＩＰ電話端末の表示方法。
【請求項５】
音声をデジタル信号に変換し、ＴＣＰ／ＩＰプロトコルによるパケット伝送にて通信を行うＩＰ電話端末において、
表示器を有する携帯端末を接続可能に接続する接続手段と、
前記携帯端末を接続した状態において、該携帯端末と通信を行う通信手段と、
前記通信手段による通信により自装置の機能動作に係る表示データを前記接続手段を解して前記携帯端末に対して送信する表示データ送信手段と
を具備し、
前記携帯端末は、該携帯端末の表示器に前記表示データを表示する
ことを特徴とするＩＰ電話端末。
【請求項６】
前記接続手段は、
前記携帯端末を収容固定可能に構成されたクレードル構造と、
該クレードル構造内に該クレードル構造と一体して設けられ前記携帯端末と通信可能に接続するコネクタと
を具備することを特徴とする請求項５記載のＩＰ電話端末。
【請求項７】
前記携帯端末を前記接続手段により接続した状態において、前記携帯端末への給電により該携帯端末の電池を充電する充電制御手段
を更に具備することを特徴とする請求項５記載のＩＰ電話端末。
【請求項８】
前記通信手段による通信により前記接続手段により接続された携帯端末に記録された個人情報を取得し、該取得した個人情報に基づき該ＩＰ電話端末の使用者認証を行う使用者認証手段
を更に具備することを特徴とする請求項５記載のＩＰ電話端末。
【発明の詳細な説明】
【０００１】
【発明の属する技術分野】
この発明は、インターネットもしくはイントラネットを使用して音声をパケット通信にて伝送するＩＰ電話端末の表示方法に関し、特に、ＩＰ電話端末に接続接続可能な携帯端末の表示部を用いてＩＰ電話端末の表示機能を実現するための表示方法およびＩＰ電話端末に関する。
【０００２】
【従来の技術】
携帯端末を接続する構成を具備し、携帯端末とのデータ通信が可能なＩＰ電話端末として、特許文献１記載の「外部情報端末連携型電話番号情報管理システム」が開示されている。
【０００３】
この特許文献１の発明は、オフイス用電話交換機のメモリ、ＰＤＡのメモリなどに分散されて記憶、管理されている個人データを相互に補完することを目的とし、ＰＤＡと電話機との間を着脱容易な構造にし、ＰＤＡが内線電話機に接続されたことを、その内線電話機を介して検知したオフィス用電話交換機のＣＰＵは、メモリ内容の相互補完を制御するプログラムを起動し、ＰＤＡ内のメモリと電話交換機内のメモリとの相互補完を自動的に実行するものである。
【０００４】
このように、ＩＰ電話端末は、音声通信系のアプリケーションに留まることなく、ＴＣＰ／ＩＰプロトコルによるインターネット、イントラネットとの親和性からＷｅｂブラウジングやメール送受信等、データ通信系のアプリケーションを搭載したＩＰ電話端末、もしくは、それらの機能を備えた携帯端末を接続して使用可能な機種へのニーズが高まっている。
【０００５】
【特許文献１】
特開２００１−９４６６７号公報。
【０００６】
【発明が解決しようとする課題】
ところで、データ通信系のアプリケーションに対応したＩＰ電話端末の構成をを考えた場合、製造コストに大きなインパクトを与えるものとして表示器および表示器への表示機能の問題が上げられる。
【０００７】
従来のアナログ電話端末やデジタル電話端末においては電話番号情報や簡易な文字メッセージの表示程度の要求レベルであり、数行のモノクロキャラクター表示で対応可能であった。
【０００８】
しかし、Ｗｅｂブラウジングやメール送受信を行う場合、従来使用していたモノクロキャラクター表示用の表示器では不十分であり、カラー高精細グラフィク用の表示器が必要不可欠となる。
【０００９】
また、このカラー高精細グラフィク用表示器をＩＰ電話端末に実装する場合、現状においては著しくＩＰ電話端末のコストを跳ね上げてしまうという問題が生じる。
【００１０】
そこで、この発明は、コストアップを抑えつつＷｅｂブラウジング等のデータ通信系アプリケーションに対応可能なＩＰ電話端末の表示方法およびＩＰ電話端末を提供することを目的とする。
【００１１】
【課題を解決するための手段】
上記問題を解決するために、請求項１の発明は、音声をデジタル信号に変換し、ＴＣＰ／ＩＰプロトコルによるパケット伝送にて通信を行うＩＰ電話端末における表示方法において、表示器を有する携帯端末をＩＰ電話端末に着脱可能に接続し、携帯端末をＩＰ電話端末に接続した状態において、ＩＰ電話端末の機能動作に係る表示データを携帯端末に送信し、表示データを携帯端末の表示器に表示することを特徴とする。
【００１２】
また、請求項２の発明は、請求項１の発明において、携帯端末の表示器は、画面上の操作によりデータを入力可能に構成され、画面上の操作により入力されたデータを携帯端末から受信することを特徴とする。
【００１３】
また、請求項３の発明は、請求項１の発明において、携帯端末は、充電可能な電池を電源として動作するものであり、携帯端末をＩＰ電話端末に接続した状態において、ＩＰ電話端末からの電源供給により携帯端末の電池を充電する充電動作を行なうことを特徴とする。
【００１４】
また、請求項４の発明は、請求項１の発明において、ＩＰ電話端末は、携帯端末が接続された状態において、携帯端末と通信を行うことにより携帯端末に記録された個人情報を取得し、取得した個人情報に基づきＩＰ電話端末の使用者認証を行うことを特徴とする。
【００１５】
また、請求項５の発明は、音声をデジタル信号に変換し、ＴＣＰ／ＩＰプロトコルによるパケット伝送にて通信を行うＩＰ電話端末において、表示器を有する携帯端末を接続可能に接続する接続手段と、携帯端末を接続した状態において、携帯端末と通信を行う通信手段と、通信手段による通信により自装置の機能動作に係る表示データを接続手段を解して携帯端末に対して送信する表示データ送信手段とを具備し、携帯端末は、携帯端末の表示器に表示データを表示することを特徴とする。
【００１６】
また、請求項６の発明は、請求項５の発明において、接続手段は、携帯端末を収容固定可能に構成されたクレードル構造と、クレードル構造内にクレードル構造と一体して設けられ携帯端末と通信可能に接続するコネクタとを具備することを特徴とする。
【００１７】
また、請求項７の発明は、請求項５の発明において、携帯端末を接続手段により接続した状態において、携帯端末への給電により携帯端末の電池を充電する充電制御手段を更に具備することを特徴とする。
【００１８】
また、請求項８の発明は、請求項５の発明において、通信手段による通信により接続手段により接続された携帯端末に記録された個人情報を取得し、取得した個人情報に基づきＩＰ電話端末の使用者認証を行う使用者認証手段を更に具備することを特徴とする。
【００１９】
【発明の実施の形態】
以下、この発明に係わるＩＰ電話端末における表示方法およびＩＰ電話端末の実施の形態を添付図面を参照して詳細に説明する。
【００２０】
図１は、この発明に係わるＩＰ電話端末１０とＩＰ電話端末１０のクレードル部４０に収容されたＰＤＡ２０の外観図である。
【００２１】
図１において、ＩＰ電話端末１０は、ＬＣＤ表示部３７、受話器３５、キー／キーパッド３６、マイク３４、スピーカ３３、クレードル部４０を具備して構成される。
【００２２】
ＬＣＤ表示部３７は、発信時、着信時の電話番号を始め、ＩＰ電話端末１０のフラッシュメモリ１２に登録されているアドレス帳、現在時刻等、ＩＰ電話端末１０の諸機能に対応したモノクロでの文字表示を行う。
【００２３】
受話器３５は、通話時における送話音声のＩＰ電話端末１０への入力、受話音声のオペレータへの出力を行う。
【００２４】
キー／キーパッド３６は、オペレータが、通話時の電話番号の入力を始め、ＩＰ電話端末１０に対してデータ入力を行うための入力装置である。
【００２５】
マイク３４は、ＩＰ電話端末１０のオペレータがハンズフリー通話、音声認識処理でのＩＰ電話端末１０の操作を行うため音声入力装置である。
【００２６】
クレードル部４０は、携帯電話機、ＰＤＡ等の携帯端末をＩＰ電話端末１０に収容して接続するためのクレードル構造をもち、収容された機器とのデータ通信、収容された機器に対して給電および充電を行う。
【００２７】
次に、ＩＰ電話端末１０のクレードル部４０についてさらに説明する。
【００２８】
図２は、この発明に係わるＩＰ電話端末１０のクレードル部４０の構造を一部透過的に示した斜視図である。
【００２９】
図２において、クレードル部４０は、ＰＤＡ、携帯電話機等をＩＰ電話端末１０のオペレータに対して、所定の傾斜角４２を持たせて収容するためのクレードル構造を有している。
【００３０】
また、クレードル部４０の底には、収容機器とＩＰ電話端末１０を接続するためのコネクタ部５００が配設されている。
【００３１】
さらに、クレードル部４０の各側面には、収容機器の挿入動作において、収容機器のコネクタ部５００とＩＰ電話端末１０のコネクタ部５００との結合を確実かつスムーズに誘導するためのリブ４１が設けられている。
【００３２】
次に、クレードル部４０のコネクタ部５００についてさらに説明する。
【００３３】
図３は、この発明に係わるＩＰ電話端末１０のクレードル部４０に配設されるコネクタ部５００のピンアサインの一例を示す拡大図である。
【００３４】
図３は、コネクタ部５００にアサインされたピンの数が１１個の場合の例を示した図であり、順にピン１、ピン２、．．．、ピン１１と名称を付して説明する。
【００３５】
ピン１、ピン１１は、主要機器に対して充電処理を行う際に電力を供給するピンであり、充電用電源（＋）側、充電用電源（−）側がそれぞれアサインされる。
【００３６】
ピン２は、送信データの信号線がアサインされる。
【００３７】
ピン３、ピン４は、ＩＰ電話端末１０が収容機器に対してデータを送信する２本の制御信号線がアサインされる。
【００３８】
ピン５、ピン６は、ＩＰ電話端末１０が収容機器に対してデータ受信する２本の制御信号がアサインされる。
【００３９】
ピン７は、受信データの信号線がアサインされる。
【００４０】
ピン８は、信号線のグランド用としてアサインされる。
【００４１】
ピン９、ピン１０は、コネクタ部５００を介して接続される機器との間において、相互の接続を検出するためのコネクタ接続信号を入出力する線がアサインされる。
【００４２】
なお、図３に示したピンの数および各ピンにアサインした信号線の内容は、この構成に限定されず、コネクタ部５００に接続された機器とのデータ通信方式に応じて適宜変更可能であり、また、接続機器に対する充電処理が行われるものであれば、このピンアサインに限定されるものではない。
【００４３】
次に、ＩＰ電話端末１０の制御構成について説明する。
【００４４】
図４は、この発明に係わるＩＰ電話端末１０の制御構成を示すブロック図である。
【００４５】
図４において、ＩＰ電話端末１０は、ＩＰ電話端末ＣＰＵ１１、フラッシュメモリ１２、Ｄ−ＲＡＭ１３、外部機器インタフェース１４、ＤＳＰ１５、ＣＯＤＥＣ１６、Ｉ／Ｏコントローラ１７、ＬＣＤ表示制御部１８、ネットワークインタフェース１９を具備して構成される。
【００４６】
ＩＰ電話端末ＣＰＵ１１は、ＩＰ電話端末１０の各制御ブロック間のデータ伝送を制御し、各種制御プログラムを実行する。
【００４７】
フラッシュメモリ１２は、書換え可能なＲＯＭであり、ＩＰ電話端末１０の各種制御プログラム、アプリケーションプログラム、制御用パラメータを記憶する。
【００４８】
また、フラッシュメモリ１２は、さらに、アプリケーションプログラムの表示データの出力先をアプリケーション毎に管理する表示データ出力先管理テーブル８０が記憶されている。
【００４９】
Ｄ−ＲＡＭ１３は、ＩＰ電話端末１０を制御するためのロードされたプログラムおよび一時的な処理データを記憶する。
【００５０】
外部機器インタフェース１４は、調歩同期式シリアル転送を行うＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）を含み、接続コネクタを介して接続する外部機器とのデータ伝送制御および、給電および充電の為の電力供給処理を行う。
【００５１】
ＤＳＰ１５は、転送レートの高いデータ（音声データ）をリアルタイムで処理する。
【００５２】
ＣＯＤＥＣ１６は、マイク３４もしくは受話器３５から入力された音声信号をアナログ信号からデジタルデータに変換したり、また、その逆に、ＤＳＰ１５から出力されたデジタル音声信号をアナログ変換してスピーカ３３もしくは受話器３５に出力する。
【００５３】
Ｉ／Ｏコントローラ１７は、キー／キーパット３６におけるオペレータの入力操作を検出して、検出信号をＩＰ電話端末ＣＰＵ１１に送信する。
【００５４】
ＬＣＤ表示制御部１８は、ＬＣＤ表示部３７に接続し、ＩＰ電話端末１０の制御プログラム、アプリケーションプログラムの表示データを、アプリケーションからの指示およびフラッシュメモリ１２に記憶された表示データ出力先管理テーブル８０に基づいて、ＩＰ電話端末１０のＬＣＤ表示部３７あるいはクレードル部４０に収容された機器の表示部の何れに出力するかを決定し、決定した出力先に出力する。
【００５５】
ネットワークインタフェース１９は、ＬＡＮ７０に接続された各機器との通信制御を行う。
【００５６】
次に、ＩＰ電話端末１０のクレードル部４０に収容されるＰＤＡ２０の制御構成を示して説明する。
【００５７】
図５は、この発明に係わるＩＰ電話端末１０のクレードル部４０に収容して接続されるＰＤＡ２０の制御構成を示すブロック図である。
【００５８】
図５において、ＰＤＡ２０は、ＰＤＡＣＰＵ２７、ＰＤＡＤ−ＲＡＭ２８、ＰＤＡフラッシュメモリ２９、メモリカードインタフェース２１、ＰＤＡ表示制御部２２、ＰＤＡＩ／Ｏコントローラ２３、ＰＤＡ外部機器インタフェース２４、充電回路２５、充電用電池２６にて構成される。
【００５９】
ＰＤＡＣＰＵ２７は、ＰＤＡ２０における各制御ブロック間のデータ伝送を制御し、各種制御プログラムを実行する。
【００６０】
ＰＤＡフラッシュメモリ２９は、書換え可能なＲＯＭであり、ＰＤＡ２０の各種制御プログラム、制御用パラメータ、ＰＤＡ２０を使用する利用者情報、ＰＤＡの機器固有情報を記憶する。
【００６１】
ＰＤＡＤ−ＲＡＭ２８は、ＰＤＡ２０の制御処理におけるロードプログラムおよび制御データ等の一時的なデータを記憶するメモリである。
【００６２】
ＰＤＡ外部機器インタフェース２４は、調歩同期式シリアル転送を行うＵＡＲＴを含み、ＰＤＡ接続コネクタ３８を介して接続する外部機器とのデータ伝送制御を行う。
【００６３】
また、ＰＤＡ接続コネクタ３８は、クレードル部４０のコネクタ部５００にアサインされたピンのうち充電処理を行うための充電用電源（＋）、充電用電源（−）ピンからの電流を接続された充電回路２５に供給する。
【００６４】
充電回路２５は、ＰＤＡ接続コネクタ３８を介してＩＰ電話端末１０から供給された充電用電源に基づいて充電用電池２６の充電を行う。
【００６５】
ＰＤＡ表示制御部２２は、タッチパネル式ＬＣＤ表示部３１に接続し、表示用データを作成してタッチパネル式ＬＣＤ表示部３１に出力する。
【００６６】
ＰＤＡＩ／Ｏコントローラ２３は、タッチパネル式ＬＣＤ表示部３１および、ＰＤＡキー／キーパッド３２に接続し、タッチパネル式ＬＣＤ表示部３１からのタッチ入力操作、ＰＤＡキー／キーパッド３２の入力操作を検出し、検出信号をＰＤＡＣＰＵ２７に出力する。
【００６７】
メモリカードインタフェース２１は、メモリカード３０等の外部記憶媒体を装着し、ＰＤＡ２０本体との間において、データの入出力を行う。
【００６８】
次に、ＩＰ電話端末１０のＬＣＤ表示制御部１８が表示データの出力先を決定する時に参照する表示データ出力先管理テーブルについて説明する。
【００６９】
図６は、ＩＰ電話端末１０のフラッシュメモリ１２に記憶される表示データ出力先管理テーブル８０の登録例を示したテーブルレイアウト図である。
【００７０】
図６において、表示データ出力先管理テーブル８０は、ＩＰ電話端末１０のアプリケーション毎の出力データの出力先を管理するテーブルである。
【００７１】
表示データ出力先管理テーブル８０で管理する項目には、アプリケーションＩＤ８１、アプリケーション名称８２、ＩＰ電話端末表示８３、収容機器表示８４がある。
【００７２】
アプリケーションＩＤ８１は、ＩＰ電話端末１０にインストールされた各アプリケーションプログラムを識別するための情報である。
【００７３】
アプリケーション名称８２は、アプリケーションＩＤ８１に対応したアプリケーション名である。
【００７４】
ＩＰ電話端末表示８３は、ＩＰ電話端末１０のＬＣＤ表示部３７に対して、表示データの出力が可能であるか否かをアプリケーション毎に管理する項目である。
【００７５】
収容機器表示８４は、ＩＰ電話端末１０のクレードル部４０に収容された携帯端末の表示部に対して表示データの出力が可能であるか否かをアプリケーション毎に管理する項目である。
【００７６】
なお、ＩＰ電話端末１０のクレードル部４０が複数の機種に対応可能な場合、収容機器表示８４で管理する項目を機種毎にさらに細分化して管理することが可能である。
【００７７】
次に、図１に示したＩＰ電話端末１０およびＰＤＡ２０がＩＰ電話システムの構成機器として組み込まれた時の構成例を示し、ＩＰ電話端末１０およびＰＤＡ２０における表示処理について説明する。
【００７８】
図７は、この発明に係わるＩＰ電話端末１０を含んで構成されるＩＰ電話システムのネットワーク構築例を示すシステム構成図である。
【００７９】
図７において、ＩＰ電話システムは、ＩＰ電話交換機７１、認証サーバ７３、複数のＩＰ電話端末１０がＬＡＮ７０に接続されており、また、ＬＡＮ７０はルータ７４によりＷＡＮ７５に接続されて構成される。
【００８０】
認証サーバ７３は、ＬＡＮ７０に接続された各ＩＰ電話端末の利用者認証を行う為の認証データを認証ＤＢに記憶して管理している。
【００８１】
また、認証サーバ７３は、ＬＡＮ７０もしくはＷＡＮ７５に接続されたＩＰ電話端末からの問合せにより認証ＤＢを参照して認証を行い、認証結果を送信元のＩＰ電話端末に送信する。
【００８２】
ＩＰ電話交換機７１は、ＬＡＮ７０を介して接続されたＩＰ電話端末からの呼接続要求に基づいて、通話相手となるＬＡＮ７０もしくはＷＡＮ７５に接続されたＩＰ電話端末との間において、通話制御を行う。
【００８３】
図８は、この発明に係わるＩＰ電話端末１０とＩＰ電話端末１０のクレードル部４０に収容されたＰＤＡ２０との間において、クレードル部４０へ収容したＰＤＡ２０のタッチパネル式表示部にＩＰ電話端末１０にて動作するアプリケーションプログラムの表示データを表示する迄の処理手順の一例を示したシーケンス図である。
【００８４】
図８において、ＰＤＡ２０がＩＰ電話端末１０のクレードル部４０に収容されると（ステップＳ１０１）、ＩＰ電話端末１０は、クレードル部４０のコネクタ部５００における接続検出信号がアサインされたピンを介してコネクタ接続信号を検出することにより、ＰＤＡ２０がクレードル部４０に収容されたことを検出する（ステップＳ１０２）。
【００８５】
ＩＰ電話端末１０は、クレードル部４０に収容されたＰＤＡ２０に対し、送信制御信号がアサインされたピンを介しＰＤＡ２０に対する接続確認信号を出力する。
【００８６】
接続確認信号を受信したＰＤＡ２０は、ＩＰ電話端末１０との間において接続制御を行う接続制御プログラムを起動し、接続確認信号に対する接続応答信号をクレードル部４０の受信制御信号がアサインされたピンを介してＩＰ電話端末１０に接続応答信号を出力する（ステップＳ１０３）。
【００８７】
また、ＰＤＡ２０側においても、クレードル部４０を介してＩＰ電話端末１０からのコネクタ接続信号を検出すると、ＰＤＡ２０側からみて送信制御信号がアサインされたピンを介しＩＰ電話端末１０に対して接続確認信号を出力する。
【００８８】
接続確認信号を受信したＩＰ電話端末１０は、接続確認信号に対する接続応答信号をクレードル部４０の受信制御信号がアサインされたピンを介してＰＤＡ２０に接続応答信号を出力し、ＰＤＡ２０は、ＩＰ電話端末１０とのデータ伝送制御の準備を開始する（ステップＳ１０４）。
【００８９】
ＩＰ電話端末１０は、利用者認証プログラムを起動し（ステップＳ１０５）、ＰＤＡ２０に対して、ユーザＩＤおよびパスワードを含む利用者情報の送信を要求する制御信号を作成してＰＤＡ２０に出力する。
【００９０】
利用者情報の送信を要求する制御信号を受信したＰＤＡ２０は、ＰＤＡフラッシュメモリ２９に記憶されたユーザＩＤ、パスワードを含む利用者情報を取得して利用者情報の送信準備を開始し（ステップＳ１０６）、コネクタ部５００を介してＩＰ電話端末１０に利用者情報を送信する。
【００９１】
利用者情報を受信したＩＰ電話端末１０は、受信データからユーザＩＤ、パスワードを抽出し、認証サーバ７３に対してユーザＩＤの照合を依頼する（ステップＳ１０７）。
【００９２】
認証サーバ７３にてユーザＩＤが認証されると、ＩＰ電話端末１０は、認証許可応答をＰＤＡ２０に送信する。
【００９３】
ＩＰ電話端末１０は、ＰＤＡ２０に対する認証許可応答の送信が完了すると、
ＰＤＡ２０の表示部にデータを出力可能なアプリケーションプログラムを起動する（ステップＳ１０８）。
【００９４】
ＩＰ電話端末１０のアプリケーションプログラムが、ＰＤＡ２０への表示データを作成してＬＣＤ表示制御部１８に出力すると、ＬＣＤ表示制御部１８は、表示データを外部機器インタフェース１４およびクレードル部４０のコネクタ部５００を介してＰＤＡ２０に表示データを送信する。
【００９５】
クレードル部４０のコネクタ部５００を介して表示データを受信したＰＤＡ２０は、タッチパネル式ＬＣＤ表示部３１に表示データを出力する（ステップＳ１０９）。
【００９６】
タッチパネル式ＬＣＤ表示部３１あるいはＰＤＡキー／キーパット３２によりユーザがデータ入力を行う（ステップＳ１１０）。
【００９７】
ＰＤＡ２０は、ユーザの入力データをＰＤＡ外部機器インタフェース、クレードル部４０のコネクタ部５００を介してＩＰ電話端末１０に送信する。
【００９８】
ＩＰ電話端末１０は、外部機器インタフェースを介して入力データを受信し、受信した入力データをアプリケーションプログラムに出力する（ステップＳ１１１）。
【００９９】
ＩＰ電話端末１０のアプリケーションプログラムは、受信した入力データをもとにさらに所定の処理を行い、処理結果に基づいて表示データを作成する（ステップＳ１１２）。
【０１００】
ＩＰ電話端末１０のアプリケーションプログラムは、受信した入力データに対する処理結果を含んだ表示データをＬＣＤ表示制御部１８に出力し、ＬＣＤ表示制御部１８は、クレードル部４０のコネクタ部５００を介してＰＤＡ２０に表示データを送信する。
【０１０１】
表示データを受信したＰＤＡ２０は、ＰＤＡ表示制御部２２によりタッチパネル式ＬＣＤ表示部３１に表示データを出力する（ステップＳ１１３）
次に、図８のシーケンス図で示したＩＰ電話端末１０における利用者認証処理について説明する。
【０１０２】
図９は、この発明に係わるＩＰ電話端末１０における利用者認証処理の処理手順を示すフローチャートである。
【０１０３】
図９において、ＩＰ電話端末１０の利用者認証プログラムは、クレードル部４０に収容されたＰＤＡ２０に対してユーザＩＤ、パスワード情報を含む利用者情報の送信を要求する制御データを送信する（ステップＳ２０１）。
【０１０４】
利用者認証プログラムは、ＰＤＡ２０から送信された利用者情報からユーザＩＤ、パスワードを抽出して解析する（ステップＳ２０２）。
【０１０５】
受信した利用者情報からユーザＩＤ、パスワードが抽出できた場合（ステップＳ２０３でＹＥＳ）、利用者認証プログラムは、認証サーバ７３に対し、抽出したユーザＩＤ、パスワードを含む利用者情報を送信してユーザＩＤの照合を依頼する（ステップＳ２０６）。
【０１０６】
また、受信した利用者情報からユーザＩＤ、パスワードが抽出できなかった場合（ステップＳ２０３でＮＯ）、利用者認証プログラムは、ユーザＩＤ、パスワードの入力を利用者に促す表示メッセージを作成し、クレードル部４０のコネクタ部５００を介してＰＤＡ２０に送信する（ステップＳ２０４）。
【０１０７】
ＰＤＡ２０のタッチパネル式ＬＣＤ表示部３１、あるいはＰＤＡキー／キーパッド３２から入力されたユーザＩＤ、パスワードを含む入力情報を受信すると、（ステップＳ２０５でＹＥＳ）、利用者認証プログラムは、ネットワークインタフェース１９を介してＬＡＮ７０に接続された認証サーバ７３に対し、入力されたユーザＩＤ、パスワードを含む利用者情報を送信してユーザＩＤの照合を依頼する（ステップＳ２０６）。
【０１０８】
利用者認証プログラムは、認証サーバ７３からの照合結果を受信し、照合結果に応じて、ユーザＩＤの認証結果を含む応答データを作成し、クレードル部４０のコネクタ部５００を介してＰＤＡ２０に送信する（ステップＳ２０７）。
【０１０９】
図１０は、ＩＰ電話端末１０における表示制御の処理手順を示すフローチャートである。
【０１１０】
表示制御プログラムは、アプリケーションプログラムが作成した表示データと表示データの出力先情報を受信する（ステップＳ３０１）
このとき、表示制御プログラムは、表示要求を行ったアプリケーションＩＤ８１を取得し、表示データの出力先がＰＤＡ２０である場合（ステップＳ３０２でＹＥＳ）、表示制御プログラムは、クレードル部４０に収容された機器の有無を判断する（ステップＳ３０３）。
【０１１１】
一方、表示データの出力先がＩＰ電話端末１０である場合（ステップＳ３０２でＮＯ）、表示制御プログラムは、表示データをＬＣＤ表示部３７に出力する（ステップＳ３０７）
表示データの出力先がＰＤＡ２０であり、かつ、クレードル部４０にＰＤＡ２０がある場合（ステップＳ３０３でＹＥＳ）、表示制御プログラムは、クレードル部４０のコネクタ部５００を介し、ＰＤＡ２０に対して表示データを送信する（ステップＳ３０４）。
【０１１２】
一方、表示データの出力先がＰＤＡ２０であるにもかかわらず、クレードル部４０におけるＰＤＡ２０の収容を認識できない場合（ステップＳ３０３でＮＯ）、表示制御プログラムは、フラッシュメモリ１２内の表示データ出力先管理テーブル８０を参照して、アプリケーションＩＤ８１に対応したＩＰ電話端末表示８３の設定項目を参照する。
【０１１３】
設定項目を参照した結果、ＩＰ電話端末１０での表示が可能である場合（ステップＳ３０５でＹＥＳ）、表示制御プログラムは、表示データをＬＣＤ表示制御部１８を介してＬＣＤ表示部３７に出力する（ステップＳ３０７）。
【０１１４】
一方、表示データの出力先がＰＤＡ２０であり、クレードル部４０に機器がセットされず、さらに、アプリケーションＩＤ８１がＩＰ電話端末１０のＬＣＤ表示部３７への出力に対応してない場合は、エラー処理により表示データを廃棄して、表示要求を行ったアプリケーションプログラムにエラー応答を返す（ステップＳ３０６）。
【０１１５】
なお、表示データの出力先を判断する方法は、上記フローチャートで説明した構成に限定されず、アプリケーションからの出力先の指示を受けずに、アプリケーションＩＤ８１に基づいて予め設定された出力先に自動で決定したり、アプリケーション側で表示データの出力可能先を決定する構成にすることも可能である。
【０１１６】
また、表示データをＩＰ電話端末およびクレードル部の収容機器両方に送信し、表示器側で受信データの出力を判断する構成にしてもよい。
【０１１７】
以上が、この発明に係わる実施の形態の例として、図１に示したＩＰ電話端末１０およびＩＰ電話端末１０に接続可能な携帯端末における表示方法の説明である。
【０１１８】
また、図７に示した、認証サーバ７３の認証機能および認証ＤＢは、ＩＰ電話端末１０に含んで構成され、ＩＰ電話端末１０自身がクレードル４０の収容機器および利用者の認証を行う構成にしてもよい。
【０１１９】
【発明の効果】
以上説明したようにこの発明によれば、ＩＰ電話端末は、クレードル部に収容した携帯情報機器をＩＰ電話端末の表示装置として使用できるため、ＩＰ電話端末の本体に、専用の表示器を実装する必要が無く、その分の製造コスト、製品コストを排除することができる。
【０１２０】
これにより、データ通信系アプリケーションに対応したＩＰ電話端末を安価に提供できるといった効果を奏する。
【図面の簡単な説明】
【図１】この発明に係わるＩＰ電話端末とＩＰ電話端末のクレードル部に収容されたＰＤＡの概観図である。
【図２】この発明に係わるＩＰ電話端末のクレードル部の構造を一部透過的に示した斜視図である。
【図３】この発明に係わるＩＰ電話端末のクレードル部に配設されるコネクタのピンアサインの一例を示す拡大図である。
【図４】この発明に係わるＩＰ電話端末の制御構成を示すブロック図である。
【図５】この発明に係わるＩＰ電話端末に接続されるＰＤＡの制御構成を示すブロック図である。
【図６】この発明に係わるＩＰ電話端末で起動するアプリケーションの表示処理において、表示先の設定をアプリケーション毎に管理する表示データ出力先管理テーブルの項目とその登録例を示したテーブルレイアウト図である。
【図７】この発明に係わるＩＰ電話端末を含んで構成されるＩＰ電話システムのネットワーク構築例を示すシステム構成図である。
【図８】この発明に係わるＩＰ電話端末のクレードルにＰＤＡを収容してＩＰ電話端末のアプリケーションプログラムの表示データをＰＤＡのタッチパネル式ＬＣＤ表示部表示する処理の一例を示したシーケンス図である。
【図９】この発明に係わるＩＰ電話端末における利用者認証処理の処理手順を示すフローチャートである。
【図１０】この発明に係わるＩＰ電話端末における表示制御の処理手順を示すフローチャートである。
【符号の説明】
１０    ＩＰ電話端末
１１    ＩＰ電話端末ＣＰＵ
１２    フラッシュメモリ
１３    Ｄ−ＲＡＭ
１４    外部機器インタフェース
１５    ＤＳＰ
１６    ＣＯＤＥＣ
１７    Ｉ／Ｏコントローラ
１８    ＬＣＤ表示制御部
１９    ネットワークインタフェース
２０    ＰＤＡ
２１    メモリカードインタフェース
２２    ＰＤＡ表示制御部
２３    ＰＤＡＩ／Ｏコントローラ
２４    ＰＤＡ外部機器インタフェース
２５    充電回路
２６    充電用電池
２７    ＰＤＡＣＰＵ
２８    ＰＤＡＤ−ＲＡＭ
２９    ＰＤＡフラッシュメモリ
３０    メモリカード
３１    タッチパネル式ＬＣＤ表示部
３２    ＰＤＡキー／キーパッド
３３    スピーカ
３４    マイク
３５    受話器
３６    キー／キーパッド
３７    ＬＣＤ表示部
３８    ＰＤＡ接続コネクタ
４０    クレードル部
４１    リブ
４２    傾斜角
５００    コネクタ部
７０    ＬＡＮ
７１    ＩＰ電話交換機
７３    認証サーバ
７４    ルータ
７５    ＷＡＮ
８０    表示データ出力先管理テーブル
８１    アプリケーションＩＤ
８２    アプリケーション名称
８３    ＩＰ電話端末表示
８４    収容機器表示
【図１】
2004336141.tif 000003
【図２】
2004336141.tif 000004
【図３】
2004336141.tif 000005
【図４】
2004336141.tif 000006
【図５】
2004336141.tif 000007
【図６】
2004336141.tif 000008
【図７】
2004336141.tif 000009
【図８】
2004336141.tif 000010
【図９】
2004336141.tif 000011
【図１０】
2004336141.tif 000012